(57)【要約】      （修正有）【課題】指の離脱が可能でフィット感がある使い方と、簡単に指を固定できて落下防止の役割も兼ね備えた使い方を可能とするギター用ピックを提供する。【解決手段】ピック面に切込みを入れ、指を引っ掛けられる形にし、輪ゴムを通す穴を開けて指の固定も簡単にできるようにする。指に掛ける輪ゴムや引っ掛ける切込みは、より指にフィットする素材や形状に施しており、指に馴染むように、なめらかな作りにしている。また、演奏時、ピックがギターの弦に当たる感触が適度になるように、ピックの大きさや厚みを加工する。【選択図】図４
0003144170.tif 000002
【実用新案登録請求の範囲】
【請求項１】
ギター演奏用のピックで、前記ピックの面に、中指を掛ける切込み及び、親指と中指で挟んで落下を防止する為の穴を刳り貫いた独自の形状のギター用ピック。
【請求項２】
前記ギターピック面の穴に、輪ゴムを通し、中指と親指を輪ゴムに掛け、落下の防止を強化できる請求項１記載のギター用ピック。
【考案の詳細な説明】
【技術分野】
【０００１】
本発明は、ギター演奏時に中指を切込みに引っ掛け、さらに中指と親指を輪ゴムに掛けて使用するギター用ピックに関するものである。
【背景技術】
【０００２】
ギター演奏用のピックとして、おにぎり型（図6）が主流であるが、指で抓んで使う際に、落としてしまう事がある。そこで、親指を輪に入れ、固定させる事で、演奏時にピックの落下防止等のできるサムピック（図７）も出ている。
【０００３】
サムピックはピック面（図7-9）と親指を入れるアーチ（図7-11）が一体化したものが主流である。特許文献１及び２のように、親指を入れる輪の部分をベルトにしてフィット感を調節できるサムピックもあるが、何れも親指のみを差し込むタイプである。
【特許文献１】特開２００４-３５４８３９号公報
【特許文献２】特開２００７-００３６６５号公報
【考案の開示】
【考案が解決しようとする課題】
【０００４】
解決しようとする問題点は、二つ。一つ目は、指の離脱が容易にできて、フィット感もあるピック。二つ目は、簡単に固定でき、落下防止ができるピックである。ピック本体のみでは、通常のピックとしても使え、輪ゴムを簡単に脱着することでサムピックのように落下防止の役割を兼ね備えた使い方のできるギター用ピックを提案する。
【課題を解決するための手段】
【０００５】
本発明のギター用ピックは、演奏時に持ちやすく、ピックの落下を防止する為に、次に示す形状（図1）を施している。通常のおにぎり型ピック（図6）の形とは異なり、ピック面に切込み（図1-2）と穴（図1-3）を刳り貫いた形にしている。切込み（図1-2）に中指を掛け、滑り止めとして開けた穴（図1-3）を親指と人差し指で挟んで持つ。ギターの弦を奏でる場合のピックの持ち方のイメージを図5に示す。
【０００６】
さらに、初心者や激しい演奏をする上級者には、サムピック（図7）のような使用方法も提案している。指にフィットする輪ゴム（図3）をピック面に開けた穴（図1-3）に通すだけで、簡単に取り外しが可能であり、取り付けた場合に（図4）のようになる。使用方法は、ピック裏面の輪ゴム部分（図4-7）に中指を差し込み、その中指先を切込み（図4-5）に引っ掛け、ピック表面の輪ゴム部分（図4-8）に親指を通す。激しい演奏をする上級者は、中指のみを輪ゴム（図4-7）に掛ける使い方が適している。
【考案の効果】
【０００７】
本発明のギター用ピックは、特に、中指先をピック面の切込み（図1-2）に引っ掛けて持つ事（図5）で、演奏をしやすくする。
【０００８】
さらに中指と親指を輪ゴムに掛ける事（図4）により、ピックの落下防止を強化できる。輪ゴム（図3）をピック面の穴に抜き差しする事で、簡単にピックの使い分けができる。
【考案を実施するための最良の形態】
【０００９】
本発明のギター用ピックは２通りの使い方ができる。使用方法１として、ピック面を刳り貫いた切込み（図1-2、図2では口の部分）に中指を掛け、滑り止めとして開けた穴（図1-3、図2では目の部分）を親指と人差し指で挟んで持つ。ギターの弦を奏でる場合のピックの持ち方のイメージを図5に示す。
【００１０】
使用方法２としては、ピック裏面の輪ゴム部分（図4-7）に中指を差し込み、その中指先を切込み（図4-5）に引っ掛け、ピック表面の輪ゴム部分（図4-8）に親指を通す。初心者は、親指のみでなく、中指を重視して固定する事で、ピックを落とす可能性をより軽減できる。
【００１１】
激しい演奏をする上級者は、中指のみを輪ゴム（図4-7）に掛ける使い方もできる。
【００１２】
指に掛ける輪ゴムや引っ掛ける切込みは、より指にフィットする素材や形状に施しており、指に馴染むように、なめらかな作りにしている。また演奏時、ピックがギターの弦に当たる感触が適度になるように、ピックの大きさや厚みを加工してある。
【実施例１】
【００１３】
図1は本発明のギター用ピック本体の平面図であり、符号1がピック表面で、符号2はピック面を切込んだ部分。符号3は、ピック面を刳り貫いた穴である。
【実施例２】
【００１４】
図5は本発明のギター用ピックの持ち方で、ギターの弦を奏でる時の指の位置を示している。使用方法１としている。
【実施例３】
【００１５】
図3は輪ゴムであり、本発明のピックの面に刳り貫いた穴に通して使用する。
【実施例４】
【００１６】
図4は本発明のギター用ピック本体の穴に輪ゴムを通した場合の図である。ピック面（符号4）に刳り貫いた穴（符号6）に輪ゴムを通すと、符号7と符号8の２つの輪が形成される。使用方法２としている。
【産業上の利用可能性】
【００１７】
ギターを演奏する人で、初心者から上級者まで広い層での利用可能性がある。
【図面の簡単な説明】
【００１８】
【図１】ギター用ピック本体の平面図である。（実施例１）
【図２】ギター用ピック本体のデザインで、(図１)と同じ物である。
【図３】ピック本体に取り付ける輪ゴムである。（実施例３）
【図４】ギター用ピック本体の穴に輪ゴムを通した場合の図である。（実施例４）
【図５】ギター用ピックの実施方法を示している。（実施例２）
【図６】市販されている主流のピックの一例を描いたもの。
【図７】市販されている主流のサムピックの一例を描いたもの。
【符号の説明】
【００１９】
１  ピック表面
２  ピック面を切込んだ部分で中指を引っ掛ける箇所
３  ピック面を刳り貫いた穴で親指と人差し指で挟む箇所
４  ピック表面
５  ピック面を切込んだ部分で中指を引っ掛ける箇所
６  ピック面を刳り貫いた穴で輪ゴムを通す部分
７  ピック面の穴に輪ゴムを通してできる輪で、中指を入れる箇所
８  ピック面の穴に輪ゴムを通してできる輪で、親指を入れる箇所
９  市販されているサムピックの面
１０  市販されているサムピックの親指を通す輪の空洞部。
１１  市販されているサムピックの輪を形成しているアーチ部分。
【図１】
0003144170.tif 000003
【図２】
0003144170.tif 000004
【図３】
0003144170.tif 000005
【図４】
0003144170.tif 000006
【図５】
0003144170.tif 000007
【図６】
0003144170.tif 000008
【図７】
0003144170.tif 000009
【手続補正書】
【提出日】平成20年6月16日(2008.6.16)
【手続補正１】
【補正対象書類名】実用新案登録請求の範囲
【補正対象項目名】請求項１
【補正方法】変更
【補正の内容】
【請求項１】
ギター演奏用のピックで、前記ピックの面に、中指を掛ける切込み及び、親指と人差し指で挟んで落下を防止する為の穴を刳り貫いた独自の形状のギター用ピック。